(57)【要約】  皮膚から配合物、例えば脱毛性配合物を除去する器具が、非剃毛型ヘッド（２）を支持した取っ手（１）を有し、ヘッド（２）は、配合物の除去を行うよう皮膚上を動かされる。ヘッドを側方へ横切って延びてヘッドを前側部分（４）と後側部分（３）に分離する撓みゾーン（５）が設けられている。器具内には追加の撓みゾーンが設けられる場合がある。
2007536950.tif 000002
【特許請求の範囲】
【請求項１】
配合物を皮膚から除去する器具であって、前記器具は、
使用にあたり、前記配合物の除去を行うよう前記皮膚上を動かされる非剃毛型ヘッドと、
取っ手とを有し、
前記ヘッドを側方へ横切って延びて前記ヘッドを前側部分と後側部分に効果的に分離する撓みゾーンが設けられている、器具。
【請求項２】
前記取っ手は、片手で握れるようになった細長いシャフトであり、前記撓みゾーンは、前記シャフトの長さに対して実質的に直交している、請求項１記載の器具。
【請求項３】
前記ヘッドの前記前側部分の下面から横断方向に延びる１つ又は２つ以上のフィンを有する、請求項１又は２記載の器具。
【請求項４】
前記撓みゾーンは、エラストマー材料から成る、請求項１〜３のうちいずれか一に記載の器具。
【請求項５】
前記前側部分及び前記後側部分は、プラスチック材料のものであり、前記前側部分と前記後側部分との間の連結部は、前記撓みゾーン内に位置する、請求項１〜４のうちいずれか一に記載の器具。
【請求項６】
前記撓みゾーン回りの関節運動は、より撓んだ位置への急な「反転」が生じるしきい値までは次第に大きくなる、請求項１〜５のうちいずれか一に記載の器具。
【請求項７】
前記取っ手が前記ヘッドに接合される領域に追加の撓みゾーンを有する、請求項１〜６のうちいずれか一に記載の器具。
【請求項８】
前記取っ手の薄くなった領域のところに設けられた追加の撓みゾーンを有する、請求項１〜７のうちいずれか一に記載の器具。
【請求項９】
配合物を皮膚から除去する器具であって、前記器具は、
使用にあたり、前記配合物の除去を行うよう前記皮膚上を動かされる非剃毛型ヘッドと、
取っ手とを有し、
前記器具中には少なくとも２つの撓みゾーンが設けられている、器具。
【請求項１０】
請求項１〜９のうちいずれか一に記載の器具を用いて配合物を皮膚から除去する方法。
【請求項１１】
脱毛を行う方法であって、前記方法が、
脱毛性配合物を皮膚に塗布するステップと、
前記脱毛性配合物が所定の時間間隔にわたり前記皮膚上にとどまることができるようにするステップと、
請求項１〜５のうちいずれか一に記載の器具を前記皮膚上で動かすことにより前記脱毛性配合物及び脱毛した毛を除去するステップと、
好ましくは前記皮膚をすすぎ洗いするステップとを有する、請求項１０記載の方法。
【請求項１２】
請求項１〜９のうちいずれか一に記載の器具と、前記皮膚に塗布されるべき配合物の供給源とを有する、パック。
【請求項１３】
皮膚の脱毛を行うために用いられた配合物を皮膚から除去するための請求項１〜９のうちいずれか一に記載の器具の用途。
【発明の詳細な説明】
【技術分野】
【０００１】
本発明は、配合物を皮膚から除去する器具及び関連方法に関する。本発明は、特に、脱毛法で用いられる器具に関するが、これには限定されない。
【背景技術】
【０００２】
毛を除去する配合物が、広く利用されている。かかる配合物は、抜毛性であり、機械的作用により毛の除去を行うことができる。かかる配合物は、脱毛性であり、化学的作用により毛を分解させることによって毛の除去を行うことができる。
【０００３】
脱毛性配合物の場合、ユーザは、これらを自分の皮膚に塗布し、これらを所定期間にわたってそのままにしてかかる脱毛性配合物が効くことができるようにし、次に通常、提供される物品を用いてかかる脱毛性配合物を皮膚から除去する。この物品は典型的には、布、スポンジ又は弾性的に撓むことができるプラスチックシートである。かかるプラスチックシートは、配合物及びこの中に同伴された毛の除去を容易にするよう曲率を備えるのがよい。
【発明の開示】
【発明が解決しようとする課題】
【０００４】
しかしながら、消費者の中には、かかる器具が汚らしく又は使用するのが難しいと感じる人がいる。多くの人は、かかる器具を皮膚に接触しているこれらの先導縁又は前縁の近くで保持し、従って、多くの人は、自分の手を配合物及び除去した毛が付着しないようにするのが困難である。さらに、かかる器具を用いて或る領域、例えば脚の後側のところどころの部分に達するのが困難な場合がある。現行の器具の別の問題は、ユーザが皮膚に過度の圧力を及ぼす場合があり、その結果、特に皮膚に襞があり、しわがあり又は皮膚が弛んでいる場合、かすり傷又は擦りむけが生じるということにある。もう１つの問題は、器具が加えられているその過度の圧力を指示する手段を備えていないということにある。
【課題を解決するための手段】
【０００５】
本発明は、脱毛性配合物を含む配合物を皮膚から効率的且つ清潔に、好ましくは皮膚の損傷の恐れを減少させた状態で除去する別の形式の器具に関する。
【０００６】
本発明の第１の特徴によれば、配合物を皮膚から除去する器具であって、器具は、
使用にあたり、配合物の除去を行うよう皮膚上を動かされる非剃毛型ヘッドと、
取っ手とを有し、
ヘッドを側方へ横切って延びてヘッドを前側部分と後側部分に効果的に分離する撓みゾーンが設けられている器具が提供される。
【０００７】
脱毛性配合物が塗布された皮膚上で引かれるべき好ましい器具が、毛の除去用に設計されている。その目的は、任意所要の時間間隔後、毛及び脱毛性配合物を除去することにある。この器具は、脱毛性配合物により弱くなった何割かの毛を切る場合があるが、これを剃毛用器具として用いることはできない。したがって、この器具は、切れ刃を備えておらず、従って、この器具は、非剃毛型器具である。
【０００８】
かくして、この器具は好ましくは、好ましくは片手で握るようになった細長いシャフトの形態をしているスティック状又はワンド状、或いはロッド状の取っ手及び幅の広いヘッドを有する。取っ手は、真っ直ぐであってもよいが、好ましくは湾曲している。好ましくは、ヘッドの最大幅は、取っ手の最大幅の少なくとも５０％以上であり、好ましくは少なくとも８０％以上であり、より好ましくは１５０％以上である。
【０００９】
好ましくは、取っ手の最大長さは、ヘッドの最大長さよりも長く、好ましくは、その少なくとも３倍、より好ましくは少なくとも５倍である。ヘッドは、非常にずんぐりとしたものである場合が多いであろう。それにもかかわらず、「ヘッドの長さ」という表現は、取っ手の長さと同一方向におけるその寸法であることは理解されよう。
【００１０】
本明細書において、本発明者によって使用される例えば「下方」や「下側」のような用語は、使用の際に皮膚に向く器具の側を意味している。例えば「上方」や「上側」という用語は、逆の方向を指している。ヘッドの遠位端部は、器具の前部と見なされ、取っ手の先端部は、器具の後部と見なされる。
【００１１】
本明細書において、「撓みゾーン」という用語は、使用の際に、ヘッドの一方の部分が他方の部分に対して関節運動する中心としての軸線を含むゾーンを意味している。取っ手が真っ直ぐな又は湾曲した細長いシャフトの形態をしている場合、関節運動軸線は好ましくは、シャフトの長さに実質的に直交する。
【００１２】
１つの撓みゾーン（又は、複数の撓みゾーン、以下を参照）を設けることに加えて、器具は、全体として、或る程度の全体的な可撓性を備えるのがよい。この全体的な可撓性は、本明細書の意味における「撓みゾーン」を構成しない。というのは、一部分の別の部分に対する関節運動が存在しないからである。
【００１３】
好ましくは、かかる全体的な可撓性はあったとしても僅かである。好ましくは、この器具は、全体として、撓みゾーンが無い場合、剛性であると言うことができ又は僅かな度合いの全体的可撓性しか備えていないと言うことができる。
【００１４】
ヘッドの前側部分は、器具の遠位端部のところに、実質的に真っ直ぐな先導縁又は前縁を有するのがよい。先導縁は、配合物の除去を行うために皮膚に接触するのがよい。好ましくは、先導縁は、関節運動が生じる中心となる軸線に実質的に平行である。かくして、使用の際、この軸線回りの曲げは、大きすぎるほどの圧力が先導縁により皮膚に加えられるのを阻止する。先導縁は、前側部分の残部と同一の材料で作られたものであるのがよい。好ましくは、先導縁は、傾斜している。しかしながら、好ましくは、この先導縁は、皮膚か毛かのいずれかの切断を行う恐れのある程度までは鋭利ではない。かくして、拡大して見て、この先導縁は、丸くなっているように見える。
【００１５】
好ましくは、ヘッドの前側部分は、少なくとも１つのフィンを有する。より好ましくは、この前側部分は、少なくとも２つのフィンを有する。
【００１６】
一実施形態では、先導縁に沿って、例えば先導縁から突き出た又は先導縁を覆う１つ又は２つ以上のエラストマーで作られたフィンを設けるのがよい。好ましくは、フィンは、撓みゾーン内の関節運動軸線に全体として平行である。
【００１７】
上述の１つ又は２つ以上のフィンは、真っ直ぐであるのがよいが、真っ直ぐである必要はない。実際には、好ましくは上述の１つ又は２つ以上のフィンは、湾曲している。好ましい曲率は、弓形であり、この凹状側は好ましくは、器具の取っ手の方へ向く。
【００１８】
好ましくは、上述の１つ又は２つ以上のフィンは、ヘッドの一方の側から他方の側まで延びる。
【００１９】
好ましくは、少なくとも２つのフィンが設けられる。好ましくは、これらフィンは、互いに平行である。少なくとも２つの隣り合うフィンの自由縁部相互間の距離は、３ｍｍ未満であるのがよい。２つの隣り合うフィンの自由縁部相互間の距離は、０．５ｍｍよりも長いのがよい。ヘッドの下側からフィンの自由縁部までのフィンの長さは、１〜５ｍｍであるのがよく、好ましくは、約２〜４ｍｍである。
【００２０】
少なくとも１つのフィンは、これが別のフィンよりも激しいかき取り作用をもたらすような材料及び（又は）形状のものであるのがよい。例えば、１つのフィンは、別のフィンよりも弾性率が高いものであるのがよい。例えば、一方のフィンは、プラスチック材料のものであり、他方のフィンは、エラストマー材料のものであるのがよい。好ましくは、プラスチック材料は、エラストマー材料よりも剛性が高く且つより激しいかき取り作用を有する。
【００２１】
少なくとも１つのフィンは、別のフィンとは異なる幅のものであるのがよい。かかる実施形態では、好適には、先導するフィンは、その隣りのフィンよりも幅が広い。別のフィンは、漸次幅が狭くなってゆくものであるのがよい。
【００２２】
フィンのうち少なくとも１つは、真っ直ぐであるのがよい。
【００２３】
フィンのうち少なくとも１つは、真っ直ぐではないものであるのがよい。
【００２４】
フィンのうち少なくとも１つは、湾曲し又は波形であるのがよい。好ましい曲率は、弓形であり、その凹状側は好ましくは、器具の取っ手の方へ向く。
【００２５】
フィンのうち少なくとも１つは、波形であるのがよい。例えば、このフィンは、Ｓ字形又はジグザグ形を繰り返したものであるのがよい。
【００２６】
少なくとも１つ、好ましくは２つ以上のフィンが、フィンの自由縁部の前に位置する皮膚に向いた表面を有し、この皮膚に向いた表面は、使用の際に、配合物の除去を行うよう器具の意図した運動方向に関して皮膚に対し９０°の角度（弛緩状態）をなすように配置されている。少なくとも１つのフィンの角度は、弛緩時に７０°未満、好ましくは６０°未満であるのがよい。使用の際、少なくとも１つのフィンの角度は、減少するのがよい。この角度は、抵抗性の表面、即ち皮膚に当たると、フィンの撓みの結果として減少するのがよい。この角度は、通常の使用の際に、少なくとも１０°、好ましくは少なくとも２０°だけ減少するのがよい。これは、皮膚の敏感なユーザにとって好ましい。
【００２７】
大抵のユーザに関し、フィンは、ヘッドの下面に実質的に垂直であることが好ましい。
【００２８】
好ましくは、フィンは、傾斜すると共に弾性であり、これらが劣化していない又は分解されていない毛の切断を行うほどには鋭利でもなく硬くもない。かくして、拡大して見て、断面側面図又は側面図において、これらの先端部は、好ましい実施形態では丸くなっているように見える。好ましくは、これらの先端部のアール又は半径は、少なくとも０．２５ｍｍ、より好ましくは少なくとも０．５ｍｍ、最も好ましくは少なくとも０．６５ｍｍである。好ましくは、これら先端部のアール又は半径は、最大１．５ｍｍ、より好ましくは最大１ｍｍ、最も好ましくは最大０．８５ｍｍまでである。これは、例えば上述の定義に従った大アール及びこの大アールよりも小さな小アールを先端部のところに有する複合アールであるのがよい。好ましくは、かかる小アールは、最大０．５ｍｍ、より好ましくは最大０．３ｍｍまでであり、最も好ましくは０．２５ｍｍ未満である。好ましくは、この小アールは、少なくとも０．１ｍｍ、より好ましくは少なくとも０．１５ｍｍである。
【００２９】
少なくとも１つのフィンは、その自由縁部に、別のフィンの自由縁部のプロフィールと
異なるプロフィールを有するのがよい。少なくとも２つのフィンは、これらの自由縁部
のところに、互いに異なるプロフィール、例えば互いに異なる曲率を有するのがよい。少なくとも３つのフィンは、これらの自由端部のところに互いに異なるプロフィール、例えば互いに異なる曲率を有するのがよい。
【００３０】
好ましくは、フィンは、互いに平行であって互いに密な間隔を置いて位置する。３つ以上のフィンが設けられる場合、隣り合うフィン相互間の間隔は好ましくは、実質的に同一である。
【００３１】
フィンは、横断方向に間隔を置いて位置するのがよい。横断方向に間隔を置いたフィンは好ましくは、側方では互いに間隔を置かない。好適には、かかる１つのフィンは、その隣りのフィンの横に位置する。かかるフィンは好ましくは、幅が広く、ヘッドの一方の側から他方の側まで延びるのがよい。好ましくは、これらフィンは、幅が少なくとも２０ｍｍであり、より好ましくは、幅が少なくとも３０ｍｍである。
【００３２】
横断方向に間隔を置いたフィンを有する器具は、最高６つまでのフィンを有するのがよい。かかる器具の好ましい一実施形態は、フィンを４つしか備えていない。かかる器具の別の好ましい実施形態は、フィンを３つしか備えていない。かかる器具の特に好ましい実施形態は、フィンを２つしか備えていない。
【００３３】
別の構成例では、フィンは、側方に間隔を置いて位置するのがよい。側方に間隔を置いて位置するフィンは好ましくは、横断方向には間隔を置かない。好適には、側方に間隔を置いて位置するフィンは、これらの間に空間がある状態で列を形成する。かかるフィンは好ましくは、短い。好ましくは、これらフィンは、幅が１０ｍｍ以下である。フィンの配列状態は、これらフィンから成る１つの群が好ましくはひとまとまりで、使用の際に皮膚を横切るように配列され、横切られなかった皮膚の領域が残らないようなものである。かかる実施形態では、フィンの少なくとも２つの列を設けるのがよく、１つの列のフィンは、別の列のフィン相互間の空間と整列する。好適には、第３の列を設けるのがよく、この第３の列は、同様に、その隣りの列のフィン相互間の空間と整列する。第４のかかる列又はそれ以上の列を設けてもよい。側方に間隔を置いたフィンを列の状態に配置する場合、好ましくは、少なくとも２つの列が設けられる。変形例として、小さいフィンであれば、これらを１つの列又は複数の列の状態に配列する必要はなく、側方と横断方向の両方向に間隔を置いて設けるのがよく、従って、皮膚を横切るヘッドの移動により、砕かれなかった帯状の配合物が除去されるようになる。
【００３４】
側方に間隔を置いたフィンを有する器具は、好適には、フィンを少なくとも５個有し、好ましくはフィンを少なくとも８個有し、最も好ましくはフィンを少なくとも１２個有するのがよい。かかる器具は好適には、最大５０個のフィン、好ましくは最大３０個のフィンを有するのがよい。好適には、かかるフィンは、少なくとも２つの列、好ましくは少なくとも３つの列の状態で配列される。好適には、かかるフィンは、最大６つの列、好ましくは最大４つの列の状態に配列される。好ましくは、隣り合う列に属するかかるフィンは、上述したように互いに互い違いである。
【００３５】
ヘッドは、ヘッドを皮膚上で動かしたときに皮膚に塗布されるように配置された非脱毛性配合物の源を有するのがよい。非脱毛性配合物は、例えば、保湿剤、フレグランス、オイル（これは、保湿オイル及び（又は）香油及び（又は）アロマセラピーオイルであるのがよい）、着色剤（例えば、化学的「色素沈着」製品）、石鹸、剥離剤、日焼け止め、日焼け後アフターケア剤、脱臭剤、潤滑剤及び昆虫忌避剤であるのがよい。非脱毛性配合物は、ゲルを含む固体であるのがよい。固体は、これが皮膚上に置かれると崩れ又は配合物を皮膚上に溶出させることができる。非脱毛性配合物をフィンの上流側又は下流側、或いはフィン相互間に塗布するのがよい。好ましくは、非脱毛性配合物をフィンの上流側に塗布する。非脱毛性配合物の源は、例えば、圧縮性又は弾性部品、例えばファブリックプライ、フェルトパッド又はスポンジから成るのがよく、膜形成機械的器具、例えばローラ或いは例えばウェルの形態をした１つ又は２つ以上の小さな凹部であるのがよく、かかる凹部内に、非脱毛性配合物を製造の際に入れ、そして皮膚上で擦ったときにかかる非脱毛性配合物を凹部から引き出す。
【００３６】
ヘッド又はフィンを有するヘッドの部分は、器具の残部から取り外し可能であるのがよい。好ましくは、取り外されたヘッド又はヘッド部分又は交換用ヘッド又はヘッド部分を連続使用のために器具の残部に係合させることができる。
【００３７】
ヘッドを取り外す場合、「器具の残部」は、取っ手である。上述のヘッド部分を取り外す場合、「器具の残部」は、取っ手及びヘッドの残部である。
【００３８】
器具の残部へのヘッド又はヘッド部分の固定は、ヘッド又はヘッド部分がこれを外すためにユーザが握れるような固定状態であるのがよい。例えば、ヘッド又はヘッド部分は、全体が取り外し可能である場合、器具の残部と圧力嵌め関係をなし、或いは、器具の残部にラッチ止めされるのがよく（例えば、相互に係合するよう互いに摺動する互いに向かい合った傾斜部によって）、この構成は、これらが単に操作により互いに外せるようなものである。ヘッド又はヘッド部分は、取り外し可能な場合、器具の残部上の定位置に押し込み又は滑り込ませてもよい。ヘッド又はヘッド部分を解除可能なヒンジにより器具の残部に接合してもよい。
【００３９】
変形実施形態では、器具は、ヘッド又はヘッド部分を器具の残部から解除するようユーザが操作できるアクチュエータを備えてもよい。アクチュエータは、例えば、取っ手又はヘッドに設けられたボタンであるのがよく、このボタンを押し下げ又は滑らせると、解除を生じさせることができる。この解除を生じさせると、ヘッド又はヘッド部分は、器具上のその同一の場所にとどまったままであるのがよく、ユーザは、抵抗無く今やヘッド又はヘッド部分を器具の残部から取り外すことができる。変形例として、アクチュエータを作動させた場合、ヘッド又はヘッド部分を器具の残部から変位させてもよい。即ち、アクチュエータを作動させる行為により、相互に係合した部分が互いに間隔を置くようになるようにしてもよい。かかる変位を弾性部分の弛緩又は部分弛緩により助けるのがよい。この弾性部分は好ましくは、ヘッドが取っ手に取り付けられている場合又はヘッド部分がヘッドの残部に取り付けられている場合、弾性部分に応力を加えるように設計されている。好ましくは、ヘッド又はヘッド部分を取っ手の残部に係合させる行為により、弾性部分に応力が加わる。
【００４０】
かかる実施形態では、互いに異なる第１と第２のヘッド又はヘッド部分を設けるのがよい。これらは、多くの点のうちいずれにおいても互いに異なっているのがよく、これらのうち幾つかについて以下に説明する。
【００４１】
第１と第２のヘッド又はヘッド部分は、互いに異なるそれぞれの皮膚接触部分を有するのがよい。第１のヘッド又はヘッド部分は、除去エッジを有する皮膚接触部分を有する。第２のヘッド又はヘッド部分は、除去エッジを有する必要はない。第２のヘッド又はヘッド部分が除去エッジを有する場合、これは好ましくは、異なる除去エッジを有し、例えば、異なる全体形状、異なる先端部プロフィール、異なる厚さ、異なる材料、異なる硬さ、異なる可撓性又は異なる幅のものである（従って、ユーザは、例えばふくらはぎのような領域の脱毛を行う場合幅の広いヘッド又はヘッド部分を使用するのがよく、例えば足首又は脛のような領域の脱毛を行う場合幅の狭いヘッド又はヘッド部分を使用するのがよい）。第２のヘッド又はヘッド部分が除去エッジを有しているにせよそうでないにせよ、第２のヘッド又はヘッド部分は、非脱毛の個人的美的効果をもたらすのがよい。例えば、ヘッド又はヘッド部分は、例えば脱毛後スキントリートメントとして好適には上述したような非脱毛配合物を皮膚上に放出するのがよい。注目されるべきこととして、第１のヘッド又はヘッド部分がかかる利点をもたらしてもよいことが、本発明の範囲から排除されているわけではない。ヘッド又はヘッド部分のうちの少なくとも一方は、個人的美的効果、例えば、化粧品又は芳香剤の皮膚上への放出を行うのがよく、他方、他方のヘッド又はヘッド部分は、別の個人的美的効果を生じさせなくてもよく或いは生じさせてもよい。一例では、一方のヘッド又はヘッド部分は、保湿剤を皮膚上に放出するのがよく、他方のヘッド又はヘッド部分は、フレグランスを皮膚上に放出するのがよい。しかしながら、第１のヘッドが脱毛性配合物及び除去した毛の除去を行い、第２のヘッド又はヘッド部分が個人的美的効果をもたらすことが好ましい。他の実施形態では、第２のヘッド又はヘッド部分は、配合物を皮膚から除去せず、配合物を皮膚に塗布もしないが、皮膚をマッサージし又は剥離させる皮膚接触部分である。当然のことながら、一方のヘッド又はヘッド部分は、上述したこれら機能のうちの１つ又は２つ以上を実行してもよい。
【００４２】
好ましくは、ヘッドは、これが取り外し可能なヘッドであっても取っ手にしっかりと支持され、力を加えない場合又は単に触れた場合、ヘッドが撓む傾向はない。使用にあたり、皮膚に当てると、ヘッドは、抗力に対して関節運動することができる。
【００４３】
好ましい実施形態では、毛の除去は、ヘッドの前側部分の下面から横断方向に突き出た１つ又は２つ以上のフィンにより行われる。好ましくは、かかる１つ又は２つ以上のフィンは、取っ手の遠位縁部から間隔を置いて位置し、好ましくは、前側部分の中間領域から横断方向にその前縁及びその後縁から間隔を置いた状態で突き出る。
【００４４】
この実施形態では、前側部分の遠位縁部は、皮膚接触部分ではない。この遠位縁部は、真っ直ぐである必要はない。例えば、これは、湾曲していてもよい。好ましくは、かかるフィンは、エラストマー材料で構成されている。かくして、かかるフィンは、好ましくは可撓性である。好ましくは、かかるフィンは、通常の使用の際に、皮膚上の器具の移動方向とは逆の方向に撓むように十分に可撓性である。好ましくは、かかる撓みは、フィンの後続側が通常の使用の際に皮膚に接触するようにするのに十分である。これが起こると、フィンとの接触領域が増大し、（力が一定の場合）、皮膚に加えられる圧力は、減少する。かかる特徴は、器具が快適に使用できるようにするために望ましく、即ち、フィンは、皮膚の輪郭を辿るのがよく、皮膚は、それほど強いかき取り作用を受けない。フィンの可撓性は、本発明の本質的な特徴である撓みゾーンに追加される。
【００４５】
本発明の一特徴では、ヘッドの下側は、外力が加えられない場合に休止状態にあるとき、実質的に平らである。
【００４６】
別の特徴では、ヘッドは、ドーム状である。好ましくは、ヘッドは、側から見て湾曲している。好ましくは、ヘッドは、遠位端部から見ても湾曲している。好ましくは、撓みゾーン並びにヘッドの前側部分及び後側部分は、器具が使用されていないとき、共通の連続した表面を構成する。好ましくは、この表面は、下方に凹状である。
【００４７】
好ましくは、器具は、全体として弓形であり、好ましくは、下方に凹状であり、ヘッドの曲率は好ましくは、取っ手の曲率にスムーズにつながっている。
【００４８】
力を加えない場合又は単に触れた場合、器具の撓み又は関節運動の傾向は生じない。使用にあたり、皮膚に当てると、抗力に対する関節運動が、撓みゾーン回りに生じる。
【００４９】
撓みゾーンは、明確な接合部である必要はない。この撓みゾーンは、好適には、そのいずれの側の部分よりも所与の力を受けてより撓むゾーンである。好ましくは、撓みゾーンは、第１及び第２の部分とは異なる材料から成る。好ましくは、撓みゾーンは、エラストマー材料から成る。好ましくは、第１及び第２の部分は、剛性の高い材料、好ましくは非エラストマー材料、例えばプラスチック材料のものである。
【００５０】
第１の部分と第２の部分をこれら自体の材料の少なくとも１つのウェブにより互いに連結するのがよい。したがって、好ましい実施形態では、ヘッド内の撓みゾーンは、かかるウェブ及びエラストマー材料から成る。別の実施形態では、第１の部分と第２の部分は、エラストマー材料によってのみ互いに連結される。
【００５１】
好ましい実施形態では、撓みゾーンは、ヘッドの前部からこれが（ヘッドが）取っ手に接合する箇所までの距離の約１／３〜１／２のところに設けられる。使用にあたり、撓みゾーンは好適には、少なくとも５°、好ましくは少なくとも１０°、より好ましくは少なくとも３０°の角度にわたり関節運動するのがよい。さらにより好ましくは、撓みゾーンは、少なくとも４５°、最も好ましくは少なくとも６０°の角度にわたって関節運動するのがよい。使用にあたり、撓みゾーンは、好適には、最大１７０°まで、より好ましくは最大１４０°まで、最も好ましくは最大１２０°までの角度にわたって関節運動するのがよい。
【００５２】
ヘッドの後側部分に対する前側部分の関節運動は、次第に大きくなるのがよく、即ち、力が加えられていない場合の撓みゼロから通常の使用の際に加えられる最大力により生じるその最大撓みまで変化するのがよい。
【００５３】
別の好ましい実施形態では、後側部分に対する前側部分の関節運動は、次第に大きくなるものではない。かくして、或る特定の力のしきいレベルでは、前側部分は、急に新たな位置に撓む。換言すると、前側部分は、新たな位置に「反転」する。好ましくは、前側部分の撓みは、最大力のしきいレベルまで次第に大きくなる。しきい力では、前側部分は、「反転」する。好ましくは、前側部分は、その「反転」位置を越えて実質的にそれ以上の反転を行うことはない。力のそれ以上の増大は好ましくは、好ましくはかかる実施形態では設けられるフィンの撓みの増大により許容される。好ましくは、前側部分の最大その「反転」までの漸次撓みの間、フィンの遠位縁部は、皮膚と接触状態にあり、このフィンの後続側は、実質的にそうではなく、前側部分が「反転」した後、フィンの後続側が皮膚と接触状態になり、遠位縁部は実質的にそうではない。
【００５４】
ヘッドの前側部分がしきい力を加えた際に新たな位置に「反転」する本発明の好ましい実施形態では、器具は、しきい力が器具により皮膚に加えられるようになった最も大きな力を表すように設計されているのがよい。前側部分がいったん「反転」すると、ユーザは、力を弱め又は器具を皮膚から離すのがよい。前側部分は好適には、その初期位置を回復し、除去作業を続行させることができる。かかる第１の実施形態では、「反転」特徴は、安全トリップ機構として設計されている。
【００５５】
別の実施形態では、器具は、前側部分がいったん「反転」すると除去作業が続行するように設計されているのがよい。この実施形態では、「反転」は、第１の除去モードから第２の除去モードへの変化を特徴付ける。
【００５６】
好ましい実施形態では、撓みゾーンは、エラストマー材料の湾曲したストリップの形態をしており、関節運動軸線は、湾曲したストリップの弦を成す。
【００５７】
かくして、形態において双安定性の除去ヘッドを備えた器具を提供することが、本発明の好ましい特徴である。
【００５８】
別の実施形態では、ヘッドの２つの部分は、休止状態では互いに角度をなし、例えば、９０°〜１６０°の角度をなし、これら２つの部分は、先導縁又はフィンを備えた前側部分が使用の際、皮膚に本質的に平行に位置し、ヘッドの後側部分が皮膚に対して補角（即ち、９０°〜２０°）をなすように配置されるのがよい。この場合も又、２つの部分は、ヘッドの幅を横切って延びる撓みゾーン回りに互いに対して関節運動することができる。この実施形態では、かかる関節運動は好ましくは、漸増形式のものである。
【００５９】
器具内には少なくとも１つの別の関節運動ゾーンを設けるのがよい。一実施形態では、これは、ヘッドと取っ手との間の接合部のところに位置するのがよい。代替的に又は追加的に、これは、取っ手内に位置してもよく、例えば、取っ手の薄くなった領域と関連し又は取っ手の一部と置き換わり又はヘッドと取っ手との間に位置したエラストマー材料の領域によって提供されてもよい。
【００６０】
本発明の器具内には３つの撓みゾーンが設けられ、各撓みゾーンは好ましくは、上述したものである。
【００６１】
非エラストマープラスチック材料、例えばオレフィンポリマーが好ましくは、取っ手及びヘッドの構造体又はバルクを形成するために用いられる。一実施形態では、取っ手は、プラスチック材料のジグザグ形ウェブによってヘッドの後側部分に連結され、このジグザグ形ウェブは、例えば、横から見てＮ字形を形成するのがよい。好ましいオレフィンポリマーは、ポリプロピレンである。エラストマー材料を用いてＮ字形領域の空間又は矢筈状部（nock）を充填するのがよい。上述したように、一実施形態では、この接合部は、撓みゾーンを形成する。
【００６２】
器具が１つ又は２つ以上のフィンを有している場合、フィンは、（上述したように）好ましくは、エラストマー材料のものであり、好ましくは、ヘッド内の撓みゾーン内に好ましくは存在するのと同一のエラストマー材料である。好ましくは、熱可塑性エラストマー材料が用いられる。
【００６３】
使用にあたり、ユーザは取っ手を保持し、先導縁又はフィンをトリトーメント配合物が塗布されている皮膚に当てる。代表的には、かかる構造は、ヘッド及び器具が全体として、器具が皮膚を横切って後方に引かれる状況にある場合、皮膚に対して鋭角をなすようなものである。皮膚に加えられる力は、取っ手に対するユーザの操作により得られ、これは、撓みゾーンを介してヘッドのフィン又は先導縁に伝達される。好ましくは、関節運動は、撓みゾーン回りに生じ、従って、使い勝手は、依然として快適であり、皮膚に対して機械的に強烈ではないようになっている。関節運動の程度は好ましくは、加えられる力で決まる。かくして、撓みゾーンは好ましくは、ヘッドのフィン又は先導縁が皮膚と接触状態にあるとき、ヘッドをどのような位置まで動かそうと、取っ手に加えられる下向きの力が常時ヘッドの前側部分に伝えられ、各位置において、抗力を受けるようなものである。
【００６４】
器具を、ユーザが、取っ手がヘッドに接合する取っ手の前側端部を親指と人差し指との間に挟み又はヘッドの後側部分を握る別の仕方で用いることができる。かくして、２つ又は３つの撓みゾーンが設けられている場合、器具を握ることにより、１つ又は２つの撓みゾーンが使えなくなる場合があるが、ヘッド内の撓みゾーンはそうではない。それ故、器具をこのように使用する場合、ヘッドの前側部分のみが、器具の残部に対して関節運動することができる。器具は、このように用いられた場合、異なる感触及び（又は）除去作用を生じさせることができる。
【００６５】
エラストマー材料を用いて上述していない器具の他の部分、例えば、取っ手の下側に設けられている握れる表面を形成することができ、或いは、エラストマー材料を、純粋に美的理由で用いることができる。好ましくは、全てのエラストマー部分は、互いに成形された同一のエラストマー材料のものである。好ましくは、エラストマー材料と非エラストマープラスチック材料は、一体形器具を形成するよう同時成形される。一体形器具が好ましいが、取り外し可能なヘッドを備えた器具が、本発明の範囲から排除されるわけではない。撓みゾーンが器具の付形によって組み込まれた単一材料で作られている器具も、本発明の範囲から排除されるわけではない。
【００６６】
好ましくは、器具の重さは、２０ｇ未満であり、より好ましくは器具の重さは、１２ｇ未満である。
【００６７】
好ましくは、取っ手は、くびれた形状のものであり、幅の広い遠位領域及び幅の広い近位領域を備え（ヘッドに隣接して）、これら相互間にくびれを有する。好ましくは、遠位領域は、保持を助けるよう窪みを有する。好ましくは、取っ手の近位端部領域は、側部が、取っ手の前部のところの撓みゾーンをバイパスすることができる第２の保持位置を形成するよう付形される。変形例として、模様付き表面が、快適な握りを提供するようその場所に成形される。
【００６８】
器具は、原理的には、配合物、例えばクレンジング又は保湿ボディパックを皮膚から除去するために使用できる。しかしながら、上述のことから、主要な関心は、同伴状態の毛と共に脱毛性配合物の除去と関連していることは明らかであろう。これにより、皮膚の脱毛に用いられた配合物の皮膚からの除去のための上述の器具の用途である本発明の特徴が与えられる。
【００６９】
本発明の第２の特徴によれば、配合物を皮膚から除去する器具であって、器具は、
使用にあたり、配合物の除去を行うよう皮膚上を動かされる非剃毛型ヘッドと、
取っ手とを有し、
器具中には少なくとも２つの撓みゾーンが設けられている器具が提供される。
【００７０】
好ましくは、１つの撓みゾーンは、ヘッドを横切って一方の側から他方の側に側方に延び、ヘッドを前側部分と後側部分に分離している。好ましくは、撓みゾーンの特徴は、第１の特徴に関して上述すると共に定義されている通りである。
【００７１】
一撓みゾーンは、取っ手がヘッドに接合される領域に設けられるのがよく、これは、第１の特徴と関連して上述した通りであるのがよい。
【００７２】
一撓みゾーンは、取っ手内に、好適には厚さの減少した箇所に設けられるのがよく、これは、第１の特徴と関連して上述した通りであるのがよい。
【００７３】
第２の特徴の器具は、ヘッド内に撓みゾーンを備えておらず、他の場所に２つの撓みゾーンを備えていることを除き、第１の特徴と関連して上述した通りであるのがよい。
【００７４】
本発明の第３の特徴によれば、第１又は第２の特徴の器具を用いることにより配合物、特に毛を含んだ脱毛性配合物を皮膚から除去する方法が提供される。かかる方法は、脱毛を行うために用いられる場合、
脱毛性配合物を皮膚に塗布するステップと、
脱毛性配合物が所定の時間間隔にわたり皮膚上にとどまることができるようにするステップと、
請求項１〜５のうちいずれか一に記載の器具を皮膚上で動かすことにより脱毛性配合物及び脱毛した毛を除去するステップと、
好ましくは皮膚をすすぎ洗いするステップとを有するのがよい。
【００７５】
好ましくは、かかる脱毛法は、脱毛性配合物の脱毛作用に加えて、毛を除去する上で器具により達成される追加の抜毛作用があるようなものである。器具は好ましくは、脱毛性配合物が用いられない場合にはその作用が抜毛性ではなく、好ましくは、脱毛性配合物により弱くなった毛を器具により除去できる程度まで脱毛性配合物との関連でその作用において抜毛性である。これは、潜在的に非常に有用である。というのは、これが意味することは、脱毛性配合物を短くした期間にわたり、例えば３分間だけ皮膚上に残しておけばよいからである。処理した毛の全ての成長を止めるのに脱毛性配合物が必要とされる場合には通常、これよりも長い期間が必要であるが、これは、それと共に、皮膚の刺激を生じさせる恐れの増大を伴う。本発明によれば、器具がその機能を完全に果たすことができる当業者の通常の知識内で、これよりも短い期間を用いることができる。
【００７６】
本明細書において説明した脱毛性配合物は、例えば、クリーム、ローション、ジェル又はフォームであるのがよい。
【００７７】
器具をそれ自体で販売することができる。しかしながら、好ましくは、器具は、皮膚に塗布されるべき配合物の容器を備えたパックの状態で販売される。容器は、例えば、ジャー又はチューブ、従来型エアゾール缶、又は多仕切り又は２仕切り付きエアゾール製品（この場合、缶内部で配合物と圧縮ガスが隔離され、弁を作動させると、圧縮ガスが配合物を噴出させる）であるのがよい。脱毛性配合物の場合、後者は、配合物を供給する好ましい仕方である。
【００７８】
皮膚に塗布されるべき配合物と第１又は第２の特徴の器具のパックは、２つのコンポーネントが内蔵されたカートンであるのがよく、或いはこれらを収納した透明なプラスチックパッケージ（例えば、ブリスタパック又はシュリンク（収縮）スリーブ）であるのがよい。変形例として、第１又は第２の特徴の器具を配合物の入った容器に直接係合させてもよい。例えば、缶は、器具が固定された改造型キャップを有するのがよい。
【００７９】
第４の特徴によれば、上述した器具と配合物、好ましくは脱毛性配合物の源を有するパックが提供される。
【発明を実施するための最良の形態】
【００８０】
次に、添付の図面を参照して本発明を更に例示的に説明する。
【００８１】
図１、図２及び図３は、ヘッド２に連結された取っ手１を有する脱毛器具を示している。ヘッド２は、撓みゾーン５により互いに連結された前側部分４と後側部分３とから成っている。前側部分は、２つのフィン９を備えている。ヘッドの前側部分３及び後側部分４並びに撓みゾーン５は全て、器具が使用されていないときに同じ僅かにドーム状の連続表面の一部をなす。
【００８２】
器具は、全体として硬質のプラスチック材料としてのポリプロピレンと熱可塑性エラストマー材料の同時成形体である。取っ手１の上面及びヘッド部分３，４は、図４に示すようにポリプロピレンの単一成形体で作られている。後側ヘッド部分３と取っ手１は、ポリプロピレンのジグザグ形区分により連結され、このジグザグ形区分は、側から見てＮ−字形を形成している。後側ヘッド部分３は、ポリプロピレンの２つの薄手のウェブ１５によって前側部分４に接合されている。これらは、器具が単一の成形作業で注型できると共に高い安定性を接合部に与えるように設けられている。
【００８３】
器具の残部は、エラストマー材料で作られている。エラストマー材料は、撓みゾーン５、取っ手の下側部１１、取っ手の遠位先端部のところに設けられた握るための上方に向いた窪み１０、フィン９及びＮ字形接合部内のウェッジ又は矢筈状部（nock）に存在する。これら区分は全て、互いに連結されると共に互いに成形される。
【００８４】
フィンは、互いに平行であり、僅かな隙間だけ互いに間隔を置いて位置している。これらフィンは、後方に僅かに湾曲している。すなわち、これらフィンは、取っ手に向いた僅かに凹状の側部を有する。これらフィンは、前縁１３にほぼ平行であり、長さが約４０ｍｍであり、かくして、ヘッドの幅の大部分にわたって延びている。これらフィンは、幅が１ｍｍであって高さが３ｍｍであり、互いに２ｍｍのスペースだけ離れている。フィンの遠位縁部は、テーパしている。
【００８５】
器具は、側から見て全体として下方に凹状であり又は弓形であり、取っ手からヘッドまで連続した曲率を備えている。取っ手の長さは、約１０ｃｍであり、ヘッドの長さは、約３ｃｍである。
【００８６】
取っ手は、後端部の近くのところで幅が最も広く（幅が最高２２ｍｍまで）、Ｎ字形接合部のすぐ前の幅の狭い部分８（幅が約９ｍｍ）までテーパしている。取っ手の幅の狭い部分は、第２の撓みゾーンとなる。
【００８７】
器具のヘッドは、ほぼ二等辺三角形として形作られているが、湾曲した縁部及びコーナー部を備えている。ヘッドは、取っ手との接合部のところの幅が約１５ｍｍであり、前縁１３のところの幅は、約４５ｍｍである。
【００８８】
ヘッド内の撓みゾーン５は、主としてエラストマー領域により提供される。これは、器具のヘッドを横切って全体として湾曲しており、ヘッドを前側部分と後側部分に分離している。エラストマー領域は、ヘッドの下面に薄い層１４を形成し、この薄い層は、接合部に達するよう後側部分３の中央を横切って延びている。
【００８９】
上述した２つの撓み又は可撓性ゾーンは、取っ手の長さに全体として垂直であり且つフィンに全体として平行な撓み軸線を定めている。
【００９０】
薄いエラストマー層が、ヘッドの前側部分４の下側部上に続いており、この下側部から、２つのエラストマーフィンが、横断方向に突き出ている。
【００９１】
ヘッド２は、下面の周りに湾曲した側部１２を有している。これら側部は、バリヤとして働き、除去した配合物を下側に保持し、かくして、除去した配合物がユーザの手に接触するのを阻止する。
【００９２】
使用にあたり、ユーザは、器具の取っ手を持ち、代表的には、取っ手を手のひら又は指で握るか握り用窪み１０を用いて取っ手を指と親指で保持するかのいずれかにする。後者の仕方は、器具を届きにくい部分、例えば脚の後側に対して用いたい場合に用いられるのがよい。器具を保持する仕方がどのようなものであれ、フィンを皮膚の上に配置し、器具を皮膚上で後方に引き、即ち、ヘッドが取っ手の後に続く。力は、取っ手から撓みゾーン及び接合部６を介してヘッド、特にヘッドの前側部分４に伝えられる。２つのヘッド部分３，４は、撓みゾーン５回りに互いに対して関節連結状態にあるのがよく、従って、使用の際、これらヘッド部分は、もはや１つの連続表面を形成しないようになる。側から見て、部分３，４は互いに鈍角を定める（図５参照）。
【００９３】
変形例として、ユーザは、器具をＮ字形接合部６の両側部のところで又はヘッドの後側部分のところで親指と人差し指の間に保持し、かくして撓みゾーン８をバイパスしてもよい。これにより、器具の動きを厳密に制御できると共に（或いは）圧力を皮膚にしっかりと加えることができる。
【００９４】
使用にあたり、幅の狭い部分８により定められる撓みゾーン回りの器具の撓みは、徐々に大きくなり、即ち、力を着実に増大させると、撓みが着実に増大する。ヘッド内の撓みゾーン５回りの前側部分の撓みは、最初は次第に高くなる。この時点までは、フィンの遠位縁部は、皮膚と接触するフィンの主要部分又は唯一の部分である。しかしながら、しきい力の状態では、前側部分は、変位状態に急に揺れ又は反転し、図５に示すようにヘッドの残部から上方に延びる。フィンの後続側壁は今や、皮膚と接触状態にあるフィンの主要部分又は唯一の部分である。それ以上の撓みは、実質的に阻止される。その代わり、更に大きな力を加えても、実質的にフィンが更に撓むだけである。
【００９５】
かくして、本発明の第１の実施形態は、過度の力を加えることによる皮膚への損傷の恐れを最小限に抑える組み込み式安全機構を有し、即ち、しきい力では、前側部分は、その上昇位置に「反転」し、皮膚とのフィンの接触状態が変化する。
【００９６】
器具は、もはや使用されない場合、その元の形状に戻るよう十分に弾力がある。
【００９７】
図６に示す第２の実施形態も又、取っ手４１及び撓みゾーン５２により前側部分４６及び後側部分６０に分離されたヘッド４２を有している。ヘッド４６の前側部分は、たとえ器具が使用されていないときでも、後側部分６０に対して傾斜している。前側部分は、全体として長円形の形をした扁平な本体である。この前側部分は、４つの真っ直ぐで互いに平行なフィン４８を支持した平らな下面を有している。前側部分は、エラストマー材料のウェッジ５２により後側部分に連結されており、このウェッジは、器具の第１の撓みゾーンとなっている。取っ手には、指又は親指を快適に載せることができるよう設計された成形部５８が設けられている。成形部５８をすぐ越えたところでヘッドに向かって、アルファベット文字Ｎのプロフィールをしたプラスチック領域が形成されている。このＮという文字の右側の枝から、ヘッド後側部分６０が、エラストマーウェッジ５２まで延びている。アルファベット文字Ｎの成形部により構成される空間又は矢筈状部内に、エラストマー材料のウェッジ６２，６４が設けられている。この器具はそれにより、２つの撓み箇所を有し、一方は、Ｎ字形領域であり、他方は、エラストマーウェッジ５２である。
【図面の簡単な説明】
【００９８】
【図１】本発明の第１の実施形態の器具の上から見た斜視図である。
【図２】図１の器具のヘッド及び取っ手の前側部分の上から見た別の斜視図である。
【図３】図１の器具のヘッドの下側の斜視図である。
【図４】図１の器具のヘッドのポリプロピレンの部分のみを示す図である。
【図５】使用中における図１の器具を示す図であり、ヘッドの前側部分が後側部分に対して関節連結されている状態を示す図である。
【図６】本発明の第２の実施形態の側面図である。
【図１】
2007536950.tif 000003
【図２】
2007536950.tif 000004
【図３】
2007536950.tif 000005
【図４】
2007536950.tif 000006
【図５】
2007536950.tif 000007
【図６】
2007536950.tif 000008
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
皮膚から配合物を除去する器具であって、
使用にあたり、前記配合物の除去を行うように前記皮膚上を移動される非剃毛型ヘッドと、
取っ手とを有し、
前記ヘッドに亘って側方に延びる、前記ヘッドを前側部分と後側部分とに効果的に分離させる撓みゾーンを備え、前記前側部分が下面を有し、該下面は、前記下面から横方向に延びる１つ又は２つ以上の実質的に鋭利ではないフィンを有する、
器具。
【請求項２】
前記取っ手は、片手で握れるようになった細長いシャフトであり、前記撓みゾーンは、前記シャフトの長さに対して実質的に直交している、請求項１記載の器具。
【請求項３】
前記撓みゾーンは、エラストマー材料から成る、請求項１又は２記載の器具。
【請求項４】
前記前側部分及び前記後側部分は、プラスチック材料のものであり、前記前側部分と前記後側部分との間の連結部は、前記撓みゾーン内に位置する、請求項１〜３のうちいずれか一に記載の器具。
【請求項５】
前記撓みゾーン回りの関節運動は、より撓んだ位置への急な「反転」が生じるしきい値までは次第に大きくなる、請求項１〜４のうちいずれか一に記載の器具。
【請求項６】
前記取っ手が前記ヘッドに接合される領域に追加の撓みゾーンを有する、請求項１〜５のうちいずれか一に記載の器具。
【請求項７】
前記取っ手の薄くなった領域のところに設けられた追加の撓みゾーンを有する、請求項１〜６のうちいずれか一に記載の器具。
【請求項８】
皮膚から配合物を除去する器具であって、
使用にあたり、前記配合物の除去を行うように前記皮膚上を移動される非剃毛型ヘッドと、
取っ手とを有し、
前記器具に少なくとも２つの撓みゾーンが設けられている、
器具。
【請求項９】
請求項１〜８のうちいずれか一に記載の器具を用いて配合物を皮膚から除去する方法。
【請求項１０】
脱毛を行う方法であって、
脱毛性配合物を皮膚に塗布し、
前記脱毛性配合物を所定の時間間隔にわたって前記皮膚上にとどめさせ、
請求項１〜５のうちいずれか一に記載の器具を前記皮膚上で移動させることにより前記脱毛性配合物及び脱毛した毛を除去し、
好ましくは前記皮膚をすすぎ洗いすることを含む、
請求項９記載の方法。
【請求項１１】
請求項１〜８のうちいずれか一に記載の器具と、前記皮膚に塗布すべき配合物の供給源とを有する、パック。
【請求項１２】
皮膚の脱毛を行うために用いられた配合物を皮膚から除去するための請求項１〜８のうちいずれか一に記載の器具の用途。
【国際調査報告】
2007536950.tif 000009
2007536950.tif 000010